(57)【要約】【課題】取付自由度の高い装飾具Ａを提供する。【解決手段】襟Ｂ１や袖口などの被服Ｂの端部を装飾する装飾具Ａにおいて、被服Ｂの表側に表出する装飾部１と、この装飾部１側に設けられた第１の磁着部材２１と、この第１の磁着部材２１に着脱可能に磁着する第２の磁着部材２２とを具備し、前記第１の磁着部材２１と第２の磁着部材２２とを磁着させることにより、両者間に被服Ｂの端部を挟持して前記装飾部１を被服Ｂに取り付ける取付手段２とを備える。【選択図】図２
0003097618.tif 000002
【実用新案登録請求の範囲】
【請求項１】
襟や袖口などの被服の端部を装飾する装飾具において、
被服の表側に表出する装飾部と、
この装飾部側に設けられた第１の磁着部材と、この第１の磁着部材に着脱可能に磁着する第２の磁着部材とを具備し、前記第１の磁着部材と第２の磁着部材とを磁着させることにより、両者間に被服の端部を挟持して前記装飾部を被服に取り付ける取付手段とを備えていることを特徴とする装飾具。
【請求項２】
前記装飾部の基台となる第１の基材と、この第１の基材に一端を取り付けられた第２の基材とを具備し、前記第１の基材に第１の磁着部材を設けると共に、前記第２の基材に第２の磁着部材を設けていることを特徴とする請求項１記載の装飾具。
【請求項３】
前記装飾部が、毛皮部材で構成されていることを特徴とする請求項１または２記載の装飾具。
【請求項４】
前記第１の磁着部材または前記第２の磁着部材を隠蔽する隠蔽部材を設けていることを特徴とする請求項１乃至３記載の装飾具。
【請求項５】
前記第１の基材または第２の基材が、前記隠蔽部材を兼ねていることを特徴とする請求項４記載の装飾具。
【請求項６】
前記第１の磁着部材または前記第２の磁着部材を内包する包持部材を備えていることを特徴とする請求項１乃至５記載の装飾具。
【請求項７】
前記第１の磁着部材及び第２の磁着部材を複数設けていることを特徴とする請求項１乃至６記載の装飾具。
【請求項８】
前記第１の磁着部材と第２の磁着部材を、前記装飾部の長手方向に対して対称に設けていることを特徴とする請求項１乃至７記載の装飾具。
【請求項９】
前記装飾部の取付側外縁形状が、前記被服の端部の取付側外縁形状と略同形であることを特徴とする請求項１乃至８記載の装飾具。
【考案の詳細な説明】
【０００１】
【考案の属する技術分野】
本考案は、被服の襟や袖口などを装飾する装飾具に関するものである。
【０００２】
【従来の技術】
従来、手持ちの被服を簡単にアレンジするために、毛皮等を被服の襟や袖口などに着脱可能とした装飾具が販売されている。この様な装飾具には、ボタンが取り付けられており、一方、被服の襟や袖口などには、前記ボタンを取り付けるためのボタンホールを開口したり、ループ状の取付用紐を設けたりすることで、前記装飾具を着脱可能としている。（例えば、特許文献１参照）
【０００３】
【特許文献１】
特開２０００−２９０８０３号公報（第３頁、段落番号０００４等）
【０００４】
【考案が解決しようとする課題】
しかしながら、前記装飾具のように、ボタンなどを利用して取り付けるものは、被服に対して予め前記ボタンホールや取付用紐などを設ける必要があり、特定の装飾具を特定の被服に対してしか取り付けられないという不具合があった。
【０００５】
【課題を解決するための手段】
そこで、本発明は上記課題に着目してなされたものであり、襟や袖口などの被服の端部を装飾する装飾具において、被服の表側に表出する装飾部と、この装飾部側に設けられた第１の磁着部材と、この第１の磁着部材に着脱可能に磁着する第２の磁着部材とを具備し、前記第１の磁着部材と第２の磁着部材とを磁着させることにより、両者間に被服の端部を挟持して前記装飾部を被服に取り付ける取付手段とを備えていることを特徴とする。
【０００６】
以上の構成により、予め取り付け対象である被服に加工を施す必要を無くし、任意の被服に対して自由に装飾具を取り付けることが可能となり、装飾の自由度、取り付け対象となる被服選択の自由度が飛躍的に向上する。
【０００７】
具体的な実施態様としては、前記装飾部の基台となる第１の基材と、この第１の基材に一端を取り付けられた第２の基材とを具備し、前記第１の基材に第１の磁着部材を設けると共に、前記第２の基材に第２の磁着部材を設けることが望ましい。
【０００８】
更に、前記装飾部を毛皮部材で構成することで、意匠の面から差別化を図り、購買意欲を喚起させることができる。
【０００９】
また、前記第１の磁着部材または前記第２の磁着部材を露出させず、見た目を良くする為には、前記第１の磁着部材または前記第２の磁着部材を隠蔽する隠蔽部材を設けることが考えられる。
【００１０】
加えて、前記第１の基材または第２の基材が、前記隠蔽部材を兼ねることにより、部品点数を減らすと共に簡易な構成とすることができる。
【００１１】
更に、前記第１の磁着部材または前記第２の磁着部材を内包する包持部材を備えることで、例えば、磁着部材を布地等に確実に取り付けることも可能となり、また、表出面に磁着部材を取り付けるための縫い目等が現れない構成とできるなどデザインの自由度を増すことも可能となる。
【００１２】
また、前記第１の磁着部材及び第２の磁着部材を複数設けることにより、襟や袖口などの湾曲した形状に沿って装飾具を取り付けられる他、確実に取り付けることができる。
【００１３】
加えて、被服の取付面に対して均等な取付強度を維持して取り付けるためには、前記第１の磁着部材と第２の磁着部材を、前記装飾部の長手方向に対して対称に設けていることが望ましい。
【００１４】
更に、襟などの湾曲した形状に沿って取り付けるためには、前記装飾部の取付側外縁形状を、被服の端部の取付側外縁形状と略同形に設定することが考えられる。
【００１５】
【考案の実施の形態】
以下、本考案の一実施の形態を、図面を参照して説明する。
【００１６】
図１は、本実施形態の装飾具Ａを被服Ｂに取り付けた状態を示す正面図であり、図３乃至図６は、当該装飾具Ａの取付工程を表している。
【００１７】
本実施の形態における装飾具Ａは、被服Ｂの襟Ｂ１に着脱可能に取り付けられるものであり、被服Ｂの表側に表出する装飾部１と、この装飾部１を被服Ｂに取り付けるための取付手段２とを具備している。
【００１８】
本実施の形態の装飾部１は、毛皮部材から構成されるものであり、襟Ｂ１よりも広い表出面を具備している。この装飾部１は横長帯状のものであり、その取付側外縁１ａは、取り付け対象となる襟Ｂ１の取付側外縁Ｂ１ａと略同形状をなすものであり、外側に向けて緩やかに膨出する形状を有している。
【００１９】
取付手段２は、装飾具Ａを衣服に取り付けた際に、前記被服Ｂの表側に位置する第１の磁着部材２１と、この第１の磁着部材２１に着脱可能に磁着すると共に、衣服の裏面側に位置する第２の磁着部材２２とを具備し、前記第１の磁着部材２１と第２の磁着部材２２とを磁着させることにより、両者間に被服Ｂの端部を挟持して前記装飾部１を被服Ｂに取り付けるものである。
【００２０】
具体的には、前記取付手段２は、装飾部１の基台となる第１の基材２３と、この第１の基材２３に一端を取付られた第２の基材２４とを具備し、前記第１の基材２３に前記第１の磁着部材２１を、前記第２の基材２４に、前記第２の磁着部材２２を取り付けている。
【００２１】
第１の基材２３は、可撓性を有する布地である表基材要素２３ａと裏基材要素２３ｂから構成されており、前記装飾部１の裏面に縫い付けられているものである。また、正面視形状が前記装飾部１より僅かに小形で、装飾具Ａの表側に表出しない形状を成している。そして、前記表基材要素２３ａと、この表基材要素２３ａと対を成す裏基材要素２３ｂとの間に前記第１の磁着部材２１を取り付けて装飾部１側に第１の磁着部材２１を設けている。
【００２２】
表基材要素２３ａは、後述する第１の磁着部材２１を隠蔽する第１の隠蔽部材としての働きもするもので、装飾具Ａの内面側に表出する布地部材から構成されている。
【００２３】
裏基材要素２３ｂは、装飾部１の裏面に取り付けられるものであり、当該裏基材要素２３ｂと前記表基材要素２３ａとの全周縁部を縫いつけて閉塞した袋状とし、当該裏基材要素２３ｂと表基材要素２３ａとの間に前記第１の磁着部材２１を収容する収容部を形成している。
【００２４】
第２の基材２４は、その上端部を前記第１の基材２３に固定される固定端とすると共に、その側端部および下端部を自由端として前記第１の基材２３と第２の基材２４との間に被服Ｂの端部を挟持し得る構成としている。また、縦寸法は前記第１の基材２３と略同寸に、またその横寸法は、前記第１の基材２３よりも僅かに短寸に設定されている。詳述すると、この第２の基材２４は、前記第１の基材２３と同様に、可撓性を有する布地である表基材要素２４ａと裏基材要素２４ｂとを重合させて内部に第２の磁着部材２２を収容する収容部を形成した状態で全周縁部が縫い合わされているものである。
【００２５】
表基材要素２４ａは、後述する裏基材要素２４ｂと共に第２の磁着部材２２を隠蔽する第２の隠蔽部材としての働きもするもので、装飾具Ａの外面側に表出する布地部材から構成されている。
【００２６】
裏基材要素２４ｂは、当該裏基材要素２４ｂと前記表基材要素２４ａとの全周縁部を縫いつけて閉塞した袋状とし、当該裏基材要素２４ｂと表部材要素との間に前記第２の磁着部材２２を収容する収容部を形成している。
【００２７】
第１の磁着部材２１は、円形平板状の磁石であり装飾部１の上端縁に沿って前記装飾部１の長手方向に対して対称となる位置に複数個設けられている。この第１の磁着部材２１は、第１の包持部材２５に内包された状態で、当該装飾部１側に取り付けられている。つまり、図２に示すように、前記第１の基材２３の表基材要素２３ａに一枚の別布を当て布として接着し、この当て布と前記表基材要素２３ａとの間に前記第１の磁着部材２１を包持して取り付けている。また、各々の第１の磁着部材２１は、別々の第１の包持部材２５に包持されている。
【００２８】
第２の磁着部材２２は、前記第１の磁着部材２１に着脱可能に磁着する円形平板状の磁石であり前記第２の基材２４の自由縁である上端縁に沿って前記装飾部１の長手方向に対して対称となる位置に複数個設けられている。この第２の磁着部材２２は、第２の包持部材２６に内包された状態で、当該第２の基材２４側に取り付けられている。つまり、図２に示すように、前記第２の基材２４の裏基材要素２４ｂに一枚の別布を当て布として接着し、この当て布と前記裏基材要素２４ｂとの間に前記第２の磁着部材２２を包持して取り付けている。また、各々の第２の磁着部材２２は、別々の第２の包持部材２６に包持されている。
【００２９】
次に、前記装飾具Ａを襟Ｂ１に取り付ける工程について説明する。
【００３０】
まず、図３に示すように、第１の基材２３と第２の基材２４とを広げて離間させ、図４に示すように第２の基材２４を襟Ｂ１の裏面に当接させた状態で前記第１の基材２３を襟Ｂ１の表面側に傾倒させる。その後、第１の基材２３に設けた第１の磁着部材２１と第２の基材２４に設けた第２の磁着部材２２とを磁着させ、両者間に被服Ｂの襟Ｂ１を挟持して前記装飾部１を襟Ｂ１の表面側に表出するように取り付ける。そして、図６に示すように、襟Ｂ１を装着状態に折りたたみ装着具Ａを被服Ｂに対して適切な位置に取り付ける。
【００３１】
以上の構成により、予め取り付け対象である被服Ｂに加工を施す必要を無くし、任意の被服Ｂに対して自由に装飾具Ａを取り付けることが可能となり、装飾の自由度、取り付け対象となる被服Ｂ選択の自由度が飛躍的に向上する。
【００３２】
加えて、前記装飾部１の基台となる第１の基材２３と、この第１の基材２３に一端を取り付けられた第２の基材２４とを具備し、前記第１の基材２３に第１の磁着部材２１を設けると共に、前記第２の基材２４に第２の磁着部材２２を設けることにより、取付強度を増すことが可能となる。
【００３３】
更に、前記装飾部１を毛皮部材で構成することで、意匠の面から差別化を図り、購買意欲を喚起させることができる。
【００３４】
また、前記第１の磁着部材２１または前記第２の磁着部材２２を隠蔽する隠蔽部材を設けているため、前記第１の磁着部材２１または前記第２の磁着部材２２を露出させず、見た目を良くすることができる。
【００３５】
加えて、前記第１の基材２３または第２の基材２４が、前記隠蔽部材を兼ねていることで、簡易な構成とすることができる。
【００３６】
更に、前記第１の磁着部材２１または前記第２の磁着部材２２を内包する包持部材を備えることで、例えば、磁着部材を布地等に確実に取り付けることも可能となり、また、表出面に磁着部材を取り付けるための縫い目等が現れない構成とできるなどデザインの自由度を増すことも可能となる。
【００３７】
また、前記第１の磁着部材２１及び第２の磁着部材２２を複数設けることにより、襟Ｂ１や袖口などの湾曲した形状に沿って装飾具Ａを取り付けられる他、確実に取り付けることができる。
【００３８】
加えて、前記第１の磁着部材２１と第２の磁着部材２２を、前記装飾部１の長手方向に対して対称に設けることで、当該装飾具Ａを被服Ｂの取付面に対して均等な取付強度を維持して取り付けられる。
【００３９】
更に、前記装飾部１の取付側外縁形状を、被服Ｂの端部の取付側外縁形状と略同形に設定することにより、襟Ｂ１などの湾曲した形状にも沿った状態で取り付けることが可能となる。
【００４０】
なお、本考案における構成は、以上説明したものに限定されないのは勿論である。例えば、本実施の形態においては、襟Ｂ１に取り付けていたが、袖口などに取り付けても良い。また、磁着部材は複数設けなくても良い。更に、装飾部１は毛皮部材に限定されないのは勿論である。加えて、本実施の形態においては、第１の磁着部材２１及び第２の磁着部材２２の双方を磁石にて構成しているが、一方を磁石にて構成し、他方を磁石に付く性質を有する鉄などにより構成することも考えられる。
【００４１】
その他の構成も本考案の趣旨を逸脱しない範囲で種々変形が可能である。
【００４２】
【考案の効果】
本考案は、襟や袖口などの被服の端部を装飾する装飾具において、被服の表側に表出する装飾部と、この装飾部側に設けられた第１の磁着部材と、この第１の磁着部材に着脱可能に磁着する第２の磁着部材とを具備し、前記第１の磁着部材と第２の磁着部材とを磁着させることにより、両者間に被服の端部を挟持して前記装飾部を被服に取り付ける取付手段とを備えていることを特徴とする。
【００４３】
以上の構成により、予め取り付け対象である被服に加工を施す必要を無くし、任意の被服に対して自由に装飾具を取り付けることが可能となり、装飾の自由度、被服選択の自由度が飛躍的に向上する。
【００４４】
加えて、前記装飾部の基台となる第１の基材と、この第１の基材に一端を取り付けられた第２の基材とを具備し、前記第１の基材に第１の磁着部材を設けると共に、前記第２の基材に第２の磁着部材を設けることにより、取付強度を増すことが可能となる。
【００４５】
更に、前記装飾部を毛皮部材で構成することで、意匠の面から差別化を図り、購買意欲を喚起させることができる。
【００４６】
また、前記第１の磁着部材または前記第２の磁着部材を隠蔽する隠蔽部材を設けているため、前記第１の磁着部材または前記第２の磁着部材を露出させず、見た目を良くすることができる。
【００４７】
加えて、前記第１の基材または第２の基材が、前記隠蔽部材を兼ねていることで、簡易な構成とすることができる。
【００４８】
更に、前記第１の磁着部材または前記第２の磁着部材を内包する包持部材を備えることで、例えば、磁着部材を布地等に確実に取り付けることも可能となり、また、表出面に磁着部材を取り付けるための縫い目等が現れない構成とできるなどデザインの自由度を増すことも可能となる。
【００４９】
また、前記第１の磁着部材及び第２の磁着部材を複数設けることにより、襟や袖口などの湾曲した形状に沿って装飾具を取り付けられる他、確実に取り付けることができる。
【００５０】
加えて、前記第１の磁着部材と第２の磁着部材を、前記装飾部の長手方向に対して対称に設けることで、当該装飾具を被服の取付面に対して均等な取付強度を維持して取り付けられる。
【００５１】
更に、前記装飾部の外縁形状を、被服の端部の外縁形状と略同形に設定することにより、襟などの湾曲した形状にも沿った状態で取り付けることが可能となる。
【図面の簡単な説明】
【図１】本実施の形態における装飾具を被服に取り付けた状態を示す正面図。
【図２】同実施形態における第１の基材と第２の基材の内部を一部露出させた図。
【図３】同実施形態における第１の基材と第２の基材を広げて離間させた状態を示す図。
【図４】同実施形態における装飾具を襟に取り付ける工程を示す工程図。
【図５】同実施形態における装飾具を襟に取り付ける工程を示す工程図。
【図６】同実施形態における装飾具を襟に取り付ける工程を示す工程図。
【符号の説明】
Ａ・・・装飾具
Ｂ・・・被服
Ｂ１・・・端部（襟）
Ｂ１ａ・・・外縁
１・・・装飾部
１ａ・・・外縁
２・・・取付手段
２１・・・第１の磁着部材
２２・・・第２の磁着部材
２３・・・第１の基材
２４・・・第２の基材
２５・・・第１の包持部材
２６・・・第２の包持部材
【図１】
0003097618.tif 000003
【図２】
0003097618.tif 000004
【図３】
0003097618.tif 000005
【図４】
0003097618.tif 000006
【図５】
0003097618.tif 000007
【図６】
0003097618.tif 000008